(57)【要約】【課題】電子端末を保護することができ、同時に電子端末の使用上の安全性を高めることができる、電子端末保護ケースを提供すること。【解決手段】底板１０に上方へ延伸した保護辺２０が設置され、保護辺２０の自由端が内側に湾曲されて保持部３０が形成され、底板１０、保護辺２０、保持部３０が包囲する収容空間４０が形成され、底板１０の一側辺に固定体が摺動可能に連結され、固定体の自由端が底板１０から上方へ突出され、さらに収容空間４０に向かって折り曲げられて係止部５１が形成され、固定体に固定孔が開設され、底板１０に固定孔と対応するロック孔が開設され、電子端末を収容空間４０に収容した時、保持部３０で電子端末の辺縁が保持され、固定体を摺動させて係止部５１で電子端末の辺縁を保持すると共に、固定孔とロック孔とを同位置に合わせ、ロックヘッドをロック孔及び固定孔に穿入させてロック固定する。【選択図】図１
0003189434.tif 000002
【実用新案登録請求の範囲】
【請求項１】
電子端末保護ケースであって、底板を備え、前記底板に上方向へ延伸された複数の保護辺が設置され、前記保護辺の自由端が内側に湾曲されて保持部が形成され、前記底板、前記保護辺、前記保持部が共同で包囲する収容空間が形成され、前記底板の一側辺に固定体が摺動可能に連結され、前記固定体の自由端が前記底板から上方へ突出され、さらに前記収容空間に向かって折り曲げられて係止部が形成され、前記固定体に固定孔が開設され、前記底板に前記固定孔と対応するロック孔が開設され、電子端末を前記収容空間に収容した時、前記保持部で前記電子端末の辺縁が保持され、前記固定体を摺動させて前記係止部で前記電子端末の辺縁を保持すると共に、前記固定孔と前記ロック孔とを同位置に合わせ、ロック装置のロックヘッドを前記ロック孔及び前記固定孔に穿入させて前記電子端末をロック固定することを特徴とする、電子端末保護ケース。
【請求項２】
前記底板の背面に、前記固定体を収納可能な収納部が設置され、前記収納部に前記ロック孔が開設され、前記固定体を摺動させて前記収納部に収容した時、前記ロック孔と前記固定孔が同位置にくることを特徴とする、請求項１に記載の電子端末保護ケース。
【請求項３】
前記ロック装置がケーブル、固定リング、収容ケースを含み、前記ロックヘッドと前記収容ケースが前記ケーブルの両端にそれぞれ連結され、前記収容ケースが前記ケーブルの収容に用いられ、前記固定リングが前記収容ケースに連結されたことを特徴とする、請求項１に記載の電子端末保護ケース。
【請求項４】
前記底板上に通口が穿設され、前記通口内に金属板が設置され、前記金属板の背面にナノ放熱層が設置され、前記金属板の正面に放熱片が設置され、前記電子端末が前記電子端末保護ケースに保持されて前記放熱片に接触することを特徴とする、請求項１に記載の電子端末保護ケース。
【請求項５】
前記放熱片が、熱伝導層、熱伝導担体層、放熱層を含み、前記熱伝導担体層が相対する第１面と第２面を備え、前記熱伝導層が前記熱伝導担体層の第１面上に連接され、前記放熱層が前記熱伝導担体層の第２面上に連接され、前記熱伝導層が前記電子端末に接触して、熱エネルギーを前記熱伝導担体層に伝導し、前記熱伝導担体層が前記放熱層を介して熱を前記金属板に伝導することを特徴とする、請求項４に記載の電子端末保護ケース。
【請求項６】
前記保護辺上の前記電子端末のスピーカーと対応する位置に、下方向に凹陥した第１ガイド溝が形成され、前記保持部上の前記第１ガイド溝と対応する位置に複数の出音孔が開設されたことを特徴とする、請求項１に記載の電子端末保護ケース。
【請求項７】
前記保護辺上の前記電子端末のマイクロフォンと対応する位置に、下方向に凹陥した第２ガイド溝が形成され、かつ前記保持部上の前記第２ガイド溝に対応する位置に複数の集音孔が開設されたことを特徴とする、請求項１に記載の電子端末保護ケース。
【請求項８】
前記底板の背面に係合機構が設置され、前記係合機構が前記底板を支持する支持座体と係合して連結されることを特徴とする、請求項１に記載の電子端末保護ケース。
【請求項９】
前記支持座体がブルートゥース旋回ホルダーであり、前記ブルートゥース旋回ホルダーが、支持体、自在旋回ヘッド、前記支持体内に収容されるブルートゥース機構を含み、前記支持体の上端に前記自在旋回ヘッドが旋回可能に枢設され、前記自在旋回ヘッドが前記係合機構に対して着脱自在に連結され、前記ブルートゥース機構が、ブルートゥースモジュール、スピーカー、電源を供給する電源部材を含み、前記電源部材と前記スピーカーが前記ブルートゥースモジュールと電気的に接続され、前記ブルートゥースモジュールが電子端末の音声信号を受信して前記スピーカーから再生することを特徴とする、請求項８に記載の電子端末保護ケース。
【請求項１０】
前記支持座体が予め付けられた折り畳み線に沿って折り畳まれたカバー蓋であり、前記カバー蓋が前記底板の一側辺に開閉可能に連結され、前記カバー蓋と前記底板が相互に対応し、前記カバー蓋を回転して前記底板上に被せることにより、電子端末を前記底板とカバー蓋の間に収納可能であり、前記カバー蓋には折り畳みプレスにより前記折り畳み線が設けられていることを特徴とする、請求項８に記載の電子端末保護ケース。
【請求項１１】
前記係合機構が、前記底板の背面に枢着された係合片であり、前記係合片と前記底板背面の間に係合区域が形成され、前記係合区域が折り畳まれた前記カバー蓋と係合可能であることを特徴とする、請求項１０に記載の電子端末保護ケース。
【考案の詳細な説明】
【技術分野】
【０００１】
本考案は、電子端末を固定して保護する電子端末保護ケースに関する。
【背景技術】
【０００２】
携帯型電子端末には携帯電話、ＰＤＡ、携帯型ゲーム機、タブレットコンピュータ等がある。このような携帯型電子端末は精密装置に属するため、強い衝撃に弱く、これらの携帯型電子端末を保護するものとして、組み合わせて使用する保護ケースがある。
通常、保護ケースは、電子端末の上下表面に密着されるが、電子端末は使用時に大量の熱が発生し、電子端末の上下表面に保護ケースが密着すると、電子端末の使用時に放熱不良を生じる。
【０００３】
また、スピーカーが背面に設置されている電子端末の場合、保護ケースは一般的に電子端末のスピーカーに対応する位置に開口が開設されており、音が直接聞こえるようになっているが、発された音は電子端末の後方に向かって拡散・伝達されるため、電子端末の前方にいる使用者に音が伝わるときには弱くなってしまい、視聴効果に影響する。
さらに、携帯型電子端末は軽くて小さく、その軽便な特性によって紛失しやすくなっているために安全性に問題があり、携帯型電子端末を紛失すると財産の損失となるだけでなく、それに伴うデータの紛失と漏洩がユーザーに補うことができない結果をもたらすことがある。
【考案の概要】
【考案が解決しようとする課題】
【０００４】
本考案が解決しようとする課題は、上述の問題を解決し、電子端末を保護することができ、同時に電子端末の使用上の安全性を高めることができる、電子端末保護ケースを提供することにある。
【課題を解決するための手段】
【０００５】
上記課題を解決するために、本考案の電子端末保護ケースは、底板を備え、前記底板に上方向へ延伸された複数の保護辺が設置され、前記保護辺の自由端が内側に湾曲されて保持部が形成され、前記底板、前記保護辺、前記保持部が共同で包囲する収容空間が形成され、前記底板の一側辺に固定体が摺動可能に連結され、前記固定体の自由端が前記底板から上方へ突出され、さらに前記収容空間に向かって折り曲げられて係止部が形成され、前記固定体に固定孔が開設され、前記底板に前記固定孔と対応するロック孔が開設され、電子端末を前記収容空間に収容した時、前記保持部で前記電子端末の辺縁が保持され、前記固定体を摺動させて前記係止部で前記電子端末の辺縁を保持すると共に、前記固定孔と前記ロック孔とを同位置に合わせ、ロック装置のロックヘッドを前記ロック孔及び前記固定孔に穿入させて前記電子端末をロック固定する。
【０００６】
好ましくは、前記底板上に通口が穿設され、前記通口内に金属板が設置され、前記金属板の背面にナノ放熱層が設置され、前記金属板の正面に放熱片が設置され、放熱片が電子端末の放出する熱を迅速に金属板に伝導し、さらに金属板、ナノ放熱層を介して空気中に迅速に放出させることができる。
好ましくは、前記保護辺上の電子端末のスピーカーに対応する位置に下方向に凹陥した第１ガイド溝が形成され、前記保持部上の前記第１ガイド溝に対応する位置に複数の出音孔が開設される。
好ましくは、前記保護辺上の電子端末のマイクロフォンに対応する位置に下方向に凹陥した第２ガイド溝が形成され、前記保持部上の前記第２ガイド溝に対応する位置に複数の集音孔が開設される。
【０００７】
好ましくは、支持座体がブルートゥース旋回ホルダーであり、前記ブルートゥース旋回ホルダーが、支持体、自在旋回ヘッド、前記支持体内に収容されるブルートゥース機構を含む。
好ましくは、前記支持座体が予め付けられた折り畳み線に従って折り畳んだ後のカバー蓋であり、前記カバー蓋が前記底板の一側辺に開閉可能に連結され、前記カバー蓋と前記底板が相互に対応し、前記カバー蓋を回転させて前記底板上に被せることにより、カバー蓋と底板との間に電子端末を収納して保護することができ、前記カバー蓋上には折り畳んで支持座体を形成するために予め折り畳みプレスして付けられたいくつかの折り畳み線が設けられ、折り畳まれた前記カバー蓋は係合機構に係合される。
【考案の効果】
【０００８】
本考案によれば、保持部と係止部によって収容空間に収納された電子端末を安定して支持することができ、しかも、ロックヘッドをロック孔及び固定孔に挿入することにより、固定体がロック固定位置に保持されるため、電子端末が収容空間から脱出する恐れが無い。
また、電子端末の使用時には、電子端末の一面に底板が配置されるだけなので、電子端末からの放熱が阻害されない。
【図面の簡単な説明】
【０００９】
【図１】本考案の実施例１を示す電子端末保護ケースの斜視図である。
【図２】本考案の実施例１を示す電子端末保護ケースの正面図である。
【図３】本考案の実施例１を示す電子端末保護ケースの側面図である。
【図４】本考案の実施例１を示す電子端末保護ケースの固定体収納状態における背面図である。
【図５】本考案の実施例１を示す電子端末保護ケースの固定体脱出状態における背面図である。
【図６】本考案の実施例１に係るロック装置の立体外観図である。
【図７】本考案の実施例１を示す電子端末保護ケースのロック装置取付状態における斜視図である。
【図８】本考案の実施例１を示す電子端末保護ケースの使用状態における正面側から見た斜視図である。
【図９】本考案の実施例１を示す電子端末保護ケースの使用状態における背面側から見た斜視図である。
【図１０】本考案の実施例１を示す電子端末保護ケースの使用状態における側面図である。
【図１１】本考案の実施例２を示す電子端末保護ケースの背面図である。
【図１２】本考案の実施例２に係る支持座体の斜視図である。
【図１３】本考案の実施例２を示す電子端末保護ケースの支持座体を組み合わせた状態の斜視図である。
【図１４】本考案の実施例３を示す電子端末保護ケースの斜視図である。
【図１５】本考案の実施例３を示す電子端末保護ケースの断面図である。
【図１６】本考案の実施例３に係る放熱片の分解断面図である。
【図１７】本考案の実施例４を示す電子端末保護ケースの断面図である。
【図１８】本考案の実施例５を示す電子端末保護ケースの断面図である。
【図１９】本考案の実施例６を示す電子端末保護ケースの断面図である。
【図２０】本考案の実施例７を示す電子端末保護ケースの斜視図である。
【図２１】図２０のＡ部分の拡大図である。
【図２２】図２１のＢ−Ｂ’線に沿った断面図である。
【考案を実施するための形態】
【００１０】
以下、本考案の実施例を図面に基づいて詳細に説明する。
図１から図１０は、本考案の実施例１を示す。
図１〜図５に示すように、電子端末保護ケース１は底板１０を含む。
底板１０の周縁には上方向へ延伸された複数の保護辺２０が設置され、保護辺２０の自由端が内側に湾曲されて保持部３０が形成され、底板１０、保護辺２０及び保持部３０が共同で包囲する収容空間４０が形成される。電子端末は収容空間４０に収容され、保持部３０が電子端末の辺縁を保持する。
【００１１】
底板１０の一側辺に固定体５０が、収容空間４０の中心に接離する方向に摺動可能に連結されている。固定体５０の自由端は底板１０の上方に突出され、かつ収容空間４０に向かって折り曲げられて係止部５１が形成され、このため固定体５０はＵ字形の構造を呈する。
また、固定体５０に固定孔５２が開設され、底板１０に固定孔５２と対応するロック孔１５１が開設される。
電子端末を前記収容空間４０に収容した後、固定体５０を収容空間４０の中心方向へ摺動させて係止部５１で電子端末の辺縁を保持する。このとき、固定孔５２とロック孔１５１が同位置にくるため、外部ロック装置２のロックヘッド２１をロック孔１５１及び固定孔５２に同時に穿入させて電子端末に対するロック固定を実現する。
【００１２】
保護辺２０及び保持部３０はプラスチック材質などの弾性を備えた構造であり、弾性に優れているため、電子端末を容易に電子端末保護ケース１内に設置でき、取り付けが容易で、保持部３０によって電子端末保護ケース１と電子端末が容易に分離しないように保たれる。
【００１３】
図４及び図５に示すように、底板１０の背面には固定体５０と相互に対応する収納部１５が設置される。収納部１５は固定体５０を挿入するための開口を備え、収納部１５の側壁にロック孔１５１が開設される。
固定体５０を収容空間４０の中心に向かって摺動させて収納部１５に収容すると、ロック孔１５１と固定孔５２が同位置にくるため、ロック装置２のロックヘッド２１をロック孔１５１と固定孔５２に同時に穿入させてロックすることができる。このとき固定体５０が固定され、電子端末が保持部３０、係止部５１により保持されるために電子端末保護ケース１から離脱できなくなり、こうして電子端末保護ケース１のロック固定を通じて、電子端末に対するロック固定が実現される。反対に、固定体５０のロックを解除した状態で、図４の矢印に示す方向に向かって固定体５０を摺動させると、図５に示すように摺動後の固定体５０は収容空間４０の中心から遠ざかり、これにより係止部５１を電子端末から離脱させ、電子端末を電子端末保護ケース１内から取り出すことができる。
【００１４】
図６及び図７に示すように、ロック装置２はロックヘッド２１、ケーブル２２、収容ケース２３、固定リング２４を含む。
ロックヘッド２１と収容ケース２３がケーブル２２の両端にそれぞれ連結されている。収容ケース２３はケーブル２２の収容に用いられ、固定リング２４が収容ケース２３に連結される。固定リング２４は他の移動しにくい物品に連結させることができる。
そして、ロックヘッド２１と固定孔５２を組み合わせることでロック固定とロック解除を実現することができる。なお、ロック解除にはキーを使用することができ、またパスワードを使用してもよい。
【００１５】
電子端末保護ケース１を使用する際には、まず図４の矢印の方向に沿って固定体５０を摺動させ、その後電子端末を収容空間４０に設置する。このとき、保持部３０によって前記電子端末の辺縁が保持される。
続いて図５の矢印の方向に沿って固定体５０を摺動させ、係止部５１で電子端末の辺縁を保持させる。このとき固定孔５２と収納部１５側壁上のロック孔１５１が同位置にくる（図４参照）。
さらにロック装置２のロックヘッド２１をロック孔１５１、固定孔５２に同時に穿入させてロック固定すると、固定体５０が固定され、電子端末が保持部３０、係止部５１により保持されるため、電子端末保護ケース１から離脱させることができなくなり、電子端末保護ケース１に対する電子端末のロック固定を実現することができる。
ロック装置２の他端の固定リング２４は重い物品に掛けたり連結したりすることができ、それにより電子端末を保護する。
反対に、電子端末保護ケース１を取り外すときは、パスワードまたはキーを通じてロック装置２のロックヘッド２１を開き、ロックヘッド２１を電子端末保護ケース１上から取り外し、図４の矢印で示す方向に沿って固定体５０を摺動させ、係止部５１を電子端末から離脱させる（図５参照）と、電子端末を電子端末保護ケース１内から取り出すことができる。
【００１６】
また、図１から図５に示すように、電子端末保護ケース１はさらにカバー蓋８０を備える。カバー蓋８０は底板１０の一側辺に開閉可能に連結されており、カバー蓋８０と底板１０は相互に対応した形状となっている。従って、カバー蓋８０を回転させて底板１０上に被せることにより、底板１０とカバー蓋８０の間に電子端末を収納して保護することができる。また、カバー蓋８０には、折り畳んで支持座体を形成するために、予め折り畳みプレスして付けられたいくつかの折り畳み線８１が設けられる。
【００１７】
カバー蓋８０の折り畳み線８１は必要に応じて設置することができ、かつ折り畳み線８１は少なくとも１本あればよい。折り畳み線８１は予め折り畳みプレスして形成され、電子端末を使用する時はカバー蓋８０を折り畳んで底板１０の支持座体を形成し、それにより電子端末保護ケース１に固定された電子端末を支持して任意の平面上に配置し、便利に画面を見たり操作したりすることができる。
折り畳み線８１は放射状、Ｙ字形、三角形、多辺形の組み合わせで形成した組み合わせ形体等とすることができ、折り畳み線８１を通して、さまざまな好みやニーズに合わせて折り畳み、カバー蓋８０を底板１０の支持として使用し、使用者の多様なニーズを満たすとともに、趣向に満ちた使い方ができる。
【００１８】
実施例１において、カバー蓋８０の折り畳み線８１は１本の直線のみであり、折り畳んだ後のカバー蓋８０により底板１０を支持するときの安定性を強化するため、底板１０の背面にさらに係合機構が設置される。前記係合機構は折り畳んだ後のカバー蓋８０と相互に係合させてカバー蓋８０が安定した状態で底板１０を支持できるようにするために用いられる。具体的に、前記係合機構は底板１０の背面に枢着された係合片６１であり、係合片６１と底板１０背面の間に係合区域が形成される。カバー蓋８０は折り畳んだ後前記係合区域内に係合され、カバー蓋８０を係合させる必要がないとき、係合片６１は枢動させて底板１０に重ねて付着させることができる。
【００１９】
好ましくは、電子端末保護ケース１のカバー蓋８０は皮革製とすることができる。これにより、比較的強い滑り止め機能を具備し、使用者が便利に手に持ったり、位置決めしたりすることができ、電子端末がよりしっかりと保護される。あるいは選択的に皮革層上に傷防止ＰＥＴ（ポリエチレンテレフタレート）材質のフィルム層を設置して、前記皮革層表面を保護し、傷を防止できるようにしてもよい。
【００２０】
図１１から図１３に本考案の実施例２を示す。実施例２と実施例１との違いは底板１０背面の係合機構の構造のみである。
実施例２の係合機構６２は外部の他の支持座体と相互に係合させて電子端末に対する支持に用いることができる。本実施例において、前記支持座体はブルートゥース旋回ホルダー３であり、ブルートゥース旋回ホルダー３は、吸盤３１、支持体３２、自在旋回ヘッド３３、支持体３２内に収容されるブルートゥース機構（図示しない）を含む。
支持体３２の上端に自在旋回ヘッド３３があらゆる方向に旋回可能に枢設され、自在旋回ヘッド３３は底板１０背面の係合機構６２に対して着脱自在に連結される。
前記ブルートゥース機構は、ブルートゥースモジュール、スピーカー、電源を供給する電源部材を含み、前記電源部材、スピーカーが前記ブルートゥースモジュールと電気的に接続され、前記ブルートゥースモジュールは電子端末の音声信号を受信して前記スピーカーから再生することができる。
【００２１】
具体的に、支持体３２の上端３２２は球形構造であり、前記球形構造は旋回ボール３２３である。自在旋回ヘッド３３は旋回ボール３２３を収容する球形チャンバ３３１を備え、旋回ボール３２３があらゆる方向に旋回可能に球形チャンバ３３１内に配置される。旋回ボール３２３を球形チャンバ３３１内で自在に旋回させることで電子端末をブルートゥース旋回ホルダー３に対して自在に旋回させることができ、簡単かつ実用的で調節と製造がしやすい構造である。
自在旋回ヘッド３３上には複数の係合ツメ３３２が突出して設けられ、これに対応し、係合機構６２上に係合ツメ３３２と組み合わせる複数の係合孔６２１が設けられ、係合ツメ３３２を前記係合孔６２１内に着脱自在に係合させることができ、これによりブルートゥース旋回ホルダー３で電子端末保護ケース１を支持することができる。
【００２２】
また、支持体３２上の前記スピーカーに正対する位置に導音孔３２１が開設され、前記スピーカーが発する音が導音孔３２１から直接伝達され、スピーカーの出力する音声の音質と音量を確保する効果が達せられる。当然、外部の音も導音孔３２１から直接支持体３２内の受話部に明晰な音質と音量で伝達されるため、相手方に自分の声をはっきりと聞かせることができる。
ブルートゥース旋回ホルダー３の吸盤３１は支持体３２の下端部に設置される。具体的に、吸盤３１は支持体３２の下端底部に設置される。吸盤３１を通してブルートゥース旋回ホルダー３をよりしっかりと固定することができ、ブルートゥース旋回ホルダー３に連結される電子端末保護ケース１をよりしっかりと支持することができる。
【００２３】
好ましくは、支持体３２は湾曲構造とする。湾曲構造を呈する支持体３２によって電子端末を旋回させたときに支持体３２にぶつからず、ブルートゥース旋回ホルダー３の対電子端末に対する旋回角度と位置をより一層拡大することができる。
【００２４】
図１４から図１６は本考案の実施例３を示す。
実施例３では、電子端末保護ケース１は、電子端末に対して保護を提供するために用いられ、同時に電子端末に効果的に放熱を行わせ、かつ電磁放射を効果的に防止できる。固定体５０及びカバー蓋８０の構造は実施例１と同じであるため、ここでは説明を省略する。
電子端末保護ケース１の底板１０の周縁が上方向に延伸されて保護辺２０が形成され、かつ電子端末保護ケース１上にはさらに電子端末を保持するために用いる保持構造が設置される。実施例３において、前記保持構造は保護辺２０の自由端が内側に湾曲されて形成された保持部３０である。このため、底板１０、保護辺２０、保持部３０が共同で包囲する収容空間４０が形成され、電子端末を収容空間４０に収納した後、保持部３０を電子端末の辺縁に留めると、電子端末上に安定的に結合させることができる。
【００２５】
また、図１４から図１６に示すように、底板１０上に通口１１が穿設され、通口１１内に金属板１２が設置され、金属板１２の背面にさらにナノ放熱層１４が設置される。即ちナノ放熱層１４は電子端末保護ケース１の外部に位置し、使用時は電子端末が収容空間内に収納され、かつ金属板１２に接触し、これにより放熱と降温が行われ、同時にナノ放熱層１４により電磁放射を防止する作用が発揮される。
具体的に、金属板１２の辺縁が前記底板１０内に嵌置され、ナノ放熱層１４が金属板１２の背面に設置され、かつナノ放熱層１４の大きさは通口１１に対応しており、金属板１２は良好な熱伝導性能を備えているため、電子端末が発する熱をナノ放熱層１４から速やかに空気中に放出することができ、放熱効果が高められる。好ましくは、金属板１２の材質はアルミニウム金属、銀金属、銅金属等とすることができる。
【００２６】
さらに、金属板１２の正面に放熱片１３が設置される。即ち、放熱片１３は収容空間４０内に位置する。具体的に、放熱片１３の背面が金属板１２の正面に連接され、放熱片１３の正面が電子端末と接触し、かつ金属板１２の面積が放熱片１３の面積より大きい。金属板１２は良好な熱伝導性能を備えており、その面積は放熱片１３の面積より大きいため、電子端末が発する熱を迅速に金属板１２に伝導し、速やかに空気中に放出させることができる。
【００２７】
図１６に示すように、放熱片１３は熱伝導層１３１、熱伝導担体層１３２、放熱層１３３を含む。熱伝導担体層１３２は相対する第１面１３２ａと第２面１３２ｂを備え、熱伝導層１３１は熱伝導担体層１３２の第１面１３２ａ上に連接され、放熱層１３３は熱伝導担体層１３２の第２面１３２ｂ上に連接され、かつ放熱層１３３と金属板１２の正面が連接される。このため、熱伝導層１３１と電子端末が接触すると、熱エネルギーが熱伝導担体層１３２内に迅速に伝導され、熱伝導担体層１３２が放熱層１３３を介して熱を金属板１２に伝導する。
好ましくは、放熱片１３の上方に一層の薄膜が設けられる。前記薄膜は銀薄膜等の金属薄膜とすることができるが、当然その他の熱伝導効果に優れた薄膜としてもよく、これに限らない。
【００２８】
図１７は、本考案の実施例４を示す。
実施例４と実施例３の違いは、金属板１２の辺縁が底板１０内に向かって底板１０全体まで延伸されている点のみであり、これにより金属板１２の面積を放熱片１３の面積よりさらに大きくすることができ、その放熱と降温性能がより高められる。
【００２９】
図１８は本考案の実施例５を示し、図１９は本考案の実施例６を示す。実施例５及び実施例６と実施例３及び実施例４との違いは、金属板１２の結合構造の違いのみである。
実施例５において、底板１０の通口１１の辺縁に下方向が張り出した階段状の凹槽１１ａが形成され、金属板１２の背面の辺縁が凹槽１１ａ内に粘着される。これにより金属板１２がしっかりと連接され、かつ金属板１２背面のその他の位置にナノ放熱層１４が設置され、金属板１２の正面に放熱片１３が設置される（図１８参照）。
実施例６では、底板１０上の通口１１の辺縁に上方向が張り出した階段状の凹槽１１ａが形成され、これにより連接時、金属板１２正面の辺縁が前記凹槽１１ａ内に粘着され、かつ金属板１２の正面に放熱片１３が設置され、背面にナノ放熱層１４が設置される（図１９参照）。
【００３０】
電子端末保護ケース１の底板１０に金属板１２が設置され、金属板１２の背面にナノ放熱層１４が設置され、金属板１２の正面には放熱片１３が設置され、電子端末の動作時に発生する熱が放熱片１３、金属板１２、ナノ放熱層１４を介して速やかに空気中に放出され、放熱効果が高められ、電子端末の動作時に電子端末保護ケース１を取り外さなくても迅速かつ効果的に放熱を行い、電子端末に対する速やかな降温を効果的に実現することができる。ナノ放熱層１４を設けたことにより電子端末保護ケース１が電磁放射を効果的に防止し、保護を提供する。
【００３１】
図２０から図２２は本考案の実施例７を示す。
実施例７では、底板１０の周縁が上方向に延伸されて保護辺２０が形成され、保護辺２０の自由端が内側に湾曲されて保持部３０が形成され、これにより底板１０、保護辺２０、保持部３０が共同で包囲する収容空間４０が形成され、収容空間４０に電子端末を収容することができる。
底板１０に通口１１が開設され、通口１１内に設置される金属板１２、放熱片１３、ナノ放熱層１４の構造は実施例３〜６のいずれかと同様である。また、固定体５０、カバー蓋８０は選択的に設置することができ、その構造も上述の各実施例と同じとすることができる。
【００３２】
電子端末保護ケース１を電子端末に取り付けた後、電子端末上に設置されたスピーカー及びマイクロフォンは電子端末保護ケース１の２つの保護辺２０に対応するか、電子端末保護ケース１の１つの保護辺２０に対応するため、異なる電子端末の設置位置に対応して電子端末保護ケース１を設計する。
【００３３】
スピーカー、マイクロフォンが電子端末保護ケース１の２つの保護辺２０にそれぞれ対応するとき、スピーカーに対応する保護辺２０上において、前記スピーカーに対応する位置に下方向に凹陥した第１ガイド溝７１を形成し、保持部３０上の第１ガイド溝７１と対応する位置に複数の出音孔７２を開設する。マイクロフォンに対応する保護辺２０上には前記マイクロフォンに対応する位置に下方向に凹陥した第２ガイド溝（図示しない）を形成し、保持部３０上の第２ガイド溝に対応する位置に複数の集音孔（図示しない）を形成する。
電子端末のスピーカー、マイクロフォンが同一の側にある場合、保護辺２０上のスピーカー、マイクロフォンに対応する位置に第１ガイド溝７１、第２ガイド溝をそれぞれ開設し、同時に保持部３０上の第１ガイド溝７１に対応する位置に複数の出音孔７２を開設し、保持部３０上の第２ガイド溝に対応する位置に複数の集音孔を開設する。
【００３４】
使用時は、スピーカーが発する音が第１ガイド溝７１にガイドされて複数の出音孔７２から発せられ、重低音効果が形成されると同時に、従来は電子端末後方に向かって拡散されていた音が前方にガイドされ、出音孔７２から発せられるため、使用者に届く音が弱まらない効果を達することができる。
また、人が発する声も集音孔を通過した後第２ガイド溝に伝達され、第２ガイド溝にガイドされてマイクロフォンに伝達されるため、人の声もより集中される。
【符号の説明】
【００３５】
１            電子端末保護ケース
１０          底板
１１          通口
１１ａ        凹槽
１２          金属板
１３          放熱片
１３１        熱伝導層
１３２        熱伝導担体層
１３２ａ      第１面
１３２ｂ      第２面
１３３        放熱層
１４          ナノ放熱層
１５          収納部
１５１        ロック孔
２          ロック装置
２０        保護辺
２１        ロックヘッド
２２        ケーブル
２３        収容ケース
２４        固定リング
３          ブルートゥース旋回ホルダー
３０        保持部
３１        吸盤
３２        支持体
３２１      導音孔
３２２      上端
３２３      旋回ボール
３３        自在旋回ヘッド
３３１      球形チャンバ
３３２      係合ツメ
４０        収容空間
５０        固定体
５１        係止部
５２        固定孔
６１        係合片
６２        係合機構
６２１      係合孔
７１        第１ガイド溝
７２        出音孔
８０        カバー蓋
８１        折り畳み線
【図１】
0003189434.tif 000003
【図２】
0003189434.tif 000004
【図３】
0003189434.tif 000005
【図４】
0003189434.tif 000006
【図５】
0003189434.tif 000007
【図６】
0003189434.tif 000008
【図７】
0003189434.tif 000009
【図８】
0003189434.tif 000010
【図９】
0003189434.tif 000011
【図１０】
0003189434.tif 000012
【図１１】
0003189434.tif 000013
【図１２】
0003189434.tif 000014
【図１３】
0003189434.tif 000015
【図１４】
0003189434.tif 000016
【図１５】
0003189434.tif 000017
【図１６】
0003189434.tif 000018
【図１７】
0003189434.tif 000019
【図１８】
0003189434.tif 000020
【図１９】
0003189434.tif 000021
【図２０】
0003189434.tif 000022
【図２１】
0003189434.tif 000023
【図２２】
0003189434.tif 000024